(57)【要約】【課題】ユーザーが従来よりも容易にレンズを交換することができる保護メガネを提供しようとするもの。【解決手段】枠体が剛性フレーム材１と弾性フレーム材２とで複合的に形成され、交換が可能とされたレンズ５の外周領域は弾性フレーム材２に当接すると共に剛性フレーム材１とも係合して固定されるようにした。この保護メガネでは、弾性フレーム材によってレンズの外周領域との間の流体密性（水密性や気密性などの密閉性）を担保することができ、パッキン等を介在させる必要はない。【選択図】　　　　図１
2004105253.tif 000002
【特許請求の範囲】
【請求項１】
枠体が剛性フレーム材と弾性フレーム材とで複合的に形成され、交換が可能とされたレンズの外周領域は弾性フレーム材に当接すると共に剛性フレーム材とも係合して固定されるようにしたことを特徴とする保護メガネ。
【請求項２】
前記レンズの外周領域にフランジ部と係止部とを有する請求項１記載の保護メガネ。
【請求項３】
前記フランジ部と係止部とはレンズの外周領域の全周又は少なくともその一部に形成された請求項２記載の保護メガネ。
【請求項４】
前記レンズの外周領域の係止部は剛性フレーム材と係合して固定されるようにした請求項１乃至３のいずれかに記載の保護メガネ。
【請求項５】
前記レンズにノブ部が延設された請求項１乃至４のいずれかに記載の保護メガネ。
【請求項６】
前記弾性フレーム材により顔当たりクッション部が一体的に成形された請求項１乃至５のいずれかに記載の保護メガネ。
【請求項７】
前記弾性フレーム材により左右フレームを連結する鼻ベルト部が一体的に成形された請求項１乃至６のいずれかに記載の保護メガネ。
【発明の詳細な説明】
【０００１】
【発明の属する技術分野】
この発明は、例えば水泳用ゴーグルや防塵メガネなどとして使用することができる保護メガネに関するものである。
【０００２】
【従来の技術】
従来より、例えば水泳用ゴーグルなど目を保護するための保護メガネがあった。
【０００３】
この水泳用ゴーグルは、使用者の視力に合わせた度付きレンズや偏光レンズに交換したり、レンズの色を好みの色に変えたり、周囲の明るさに応じてレンズの濃さを変えたりしたい場合がある。
【０００４】
このため、その枠体（ハードフレーム製のものや材質的に比較的に柔らかいソフトフレーム製のものがある）に対して、ユーザーによるレンズの交換が可能なタイプがあった。
【０００５】
しかし、枠体がソフトフレーム製の場合（例えば、特許文献１参照）はフレームが変形してレンズとの隙間ができ水が浸入することがあった。一方、図１３に示すように、枠体２１がハードフレーム製の場合（例えば、特許文献２参照）は水密性を得るためにレンズ２２との間にパッキン（シリコンゴム製等）２３を介在させるが、交換レンズをフレームに嵌め込む際にパッキンがずれ易く交換作業が難しいという問題があった。
【０００６】
【特許文献１】
実開昭６１―１５４９２５号公報（第４頁、第１図）
【特許文献２】
実開昭６０―２５６４５号公報（第８頁、第１０図）
【０００７】
【発明が解決しようとする課題】
そこでこの発明は、ユーザーが従来よりも容易にレンズを交換することができる保護メガネを提供しようとするものである。
【０００８】
【課題を解決するための手段】
前記課題を解決するためこの発明では次のような技術的手段を講じている。
▲１▼　この発明の保護メガネは、枠体が剛性フレーム材と弾性フレーム材とで複合的に形成され、交換が可能とされたレンズの外周領域は弾性フレーム材に当接すると共に剛性フレーム材とも係合して固定されるようにしたことを特徴とする。
【０００９】
この保護メガネでは、交換が可能とされたレンズの外周領域は弾性フレーム材に当接するようにしたので、前記弾性フレーム材によってレンズの外周領域との間の流体密性（水密性や気密性などの密閉性）を担保することができ、パッキン等を介在させる必要はない。
【００１０】
また、前記レンズの外周領域は剛性フレーム材とも係合して固定されるようにしたので、前記剛性フレーム材によって使用中における耐・変形性を枠体全体として担保することができ、例えば水泳中に枠体が変形してレンズとの隙間から水が浸入することを回避することができる。
【００１１】
なお、レンズとフレーム材との固定は使用に支障のない多少のずれがあってもよい。また、レンズの外周領域と剛性フレーム材との係合は、弾性フレーム材を介した間接的なものであってもよい（例えばレンズの外周領域で剛性フレーム材が弾性フレーム材でサンドイッチされたような構造）。
▲２▼　前記レンズの外周領域にフランジ部と係止部とを有することとしてもよい。このように構成すると、剛性フレーム材と弾性フレーム材との厚みをフランジ部で吸収し係止部で固定することができる。
▲３▼　前記フランジ部と係止部とはレンズの外周領域の全周又は少なくともその一部に形成されたこととしてもよい。
【００１２】
フランジ部と係止部とはレンズの外周領域の少なくとも一部に備わっていればよいが、レンズの外周領域の全周に形成すると使用時に力が加わってもレンズは枠体にしっかりと固定され変形に対して強く強度的に優れたものとなる。
▲４▼　前記レンズの外周領域の係止部は剛性フレーム材と係合して固定されるようにしたこととしてもよい。
【００１３】
このように構成すると、レンズの外周領域の係止部と剛性フレーム材という硬い部材同士が係合して固定されることとなるので、強度や耐久性に優れたものとなる。
▲５▼　レンズにノブ部が延設されたこととしてもよい。このように構成すると、レンズの着脱時にはノブ部を持って作業することによりレンズ面への指紋の付着を抑制することができる。
▲６▼　前記弾性フレーム材により顔当たりクッション部が一体的に成形されたこととしてもよい。このように構成すると、顔当たりクッション部を含む弾性フレーム材の成形性に優れる。
▲７▼　前記弾性フレーム材により左右フレームを連結する鼻ベルト部が一体的に成形されたこととしてもよい。このように構成すると、左右フレームを連結する鼻ベルト部を含む弾性フレーム材の成形性に優れる。
【００１４】
【発明の実施の形態】
以下、この発明の実施の形態を図面を参照して説明する。なお、各実施形態の保護メガネとして水泳用ゴーグル（スイミングゴーグル）を形成した。
（実施形態１）
図１乃至図３に示すように、この実施形態の水泳用ゴーグルは、枠体が剛性フレーム材１と、前記剛性フレーム材１に対して比較的に柔らかい弾性フレーム材２とで複合的に形成されている。３は前記弾性フレーム材２により一体的に成形している顔当たりクッション部であり、４は左右フレームを連結する鼻ベルト部である。
【００１５】
前記剛性フレーム材１の材質としてポリカーボネートやポリプロピレンなどのプラスチックを用い、前記弾性フレーム材２の材質としてシリコンゴムや熱可塑性エラストマー樹脂などの柔軟性を有するものを用いた。剛性フレーム材１と弾性フレーム材２とは、インサート成形や２色成形により一体化（接着）することができる。
【００１６】
図２及び図３に示すように、前記レンズ５の外周領域には、フランジ部６と係止部６１とを延設・形成しており、ここではレンズ５とフランジ部６と係止部６１とで囲まれた領域が段付き溝部６２となっている。
【００１７】
そして、交換が可能とされたレンズ５の外周領域は弾性フレーム材２に当接すると共に、剛性フレーム材１とも係合（嵌合）して固定されるようにしている。具体的には、前記レンズ５の外周領域の係止部６１は剛性フレーム材１と係合して固定されるようにしており、レンズ５の外周領域の係止部６１と剛性フレーム材１という硬い部材同士が係合して固定されることとなり、強度や耐久性に優れたものとなっている。
【００１８】
前記フランジ部６と係止部６１とはレンズ５の全周に形成しており、水泳時に力が加わってもレンズ５は枠体にしっかりと固定され変形に対して強く強度的に優れたものとなる。なお、フランジ部６と係止部６１とはレンズ５の外周領域の少なくとも一部に備わっていればよい。
【００１９】
次に、この実施形態の水泳用ゴーグルの使用状態を説明する。
【００２０】
この水泳用ゴーグルでは、交換が可能とされたレンズ５の外周領域は弾性フレーム材２に当接するようにしたので、前記弾性フレーム材１によってレンズ５の外周領域との間の水密性を担保することができ、パッキン等を介在させる必要はない。よって、ユーザーが従来よりも容易にレンズ５を交換することができるという利点がある。すなわち、交換レンズ５やスペアレンズ５付きのゴーグルを高品位のものとして提供することができる。
【００２１】
また、前記レンズ５の外周領域は剛性フレーム材１とも係合して固定されるようにしたので、前記剛性フレーム材１によって使用中における耐・変形性を枠体全体として担保することができ、水泳中に枠体が変形してレンズ５との隙間から水が浸入することを回避することができる。
【００２２】
さらに、弾性フレーム材２により顔当たりクッション部３が一体的に成形されており、顔当たりクッション部３を含む弾性フレーム材２の成形性に優れるという利点がある。
【００２３】
この保護メガネは、水密性ではなく気密性を付与して防塵用として使用することもできる。またこの実施形態のように２眼タイプとしても、１眼タイプとしても使用することができる。
（実施形態２）
次に、実施形態２を実施形態１との相違点を中心に説明する。
【００２４】
図４乃至図８に示すように、この実施形態の水泳用ゴーグルは、枠体が剛性フレーム材１と、比較的に柔らかい弾性フレーム材２とで複合的に形成されている。７は、頭部に装着するための弾性ベルトである。
【００２５】
図４及び図５に示すように、レンズ５の左右端部には交換の際の手がかりとしてノブ部８を延設しており、レンズの着脱時にはノブ部８を持って作業することによりレンズ５面自体が指紋等で汚れることを極力回避している。また、前記弾性フレーム材２のノブ部８に対応する位置には窪み８１を形成し、ノブ部８と弾性フレーム材２相互間に指が入り易くすることによりレンズ５の着脱をし易くしている。
【００２６】
そして、図６乃至図８に示すように、交換が可能とされたレンズ５の外周領域の全周は前方側の弾性フレーム材２に当接すると共に、後方側の剛性フレーム材１とも係合（嵌合）して固定されるようにしている。
【００２７】
次に、この実施形態の水泳用ゴーグルの使用状態を説明する。
【００２８】
図６乃至図８に示すように、この水泳用ゴーグルでは、交換が可能とされたレンズ５の外周領域は前方側の弾性フレーム材２に当接すると共に後方側の剛性フレーム材１とも係合して固定されるようにしたので、弾性フレーム材２と当接するレンズ５の外周領域は剛性フレーム材１とも係合（嵌合）して固定されて密閉性すなわち水密性を得ることができる。
【００２９】
また、レンズ５外周領域を弾性フレーム材２に当接させることによりパッキン等を介在させる必要がない。よって、ユーザーが従来よりも容易にレンズ５を交換することができるという利点がある。
【００３０】
なお、レンズ５の外周領域と弾性フレーム材２と剛性フレーム材１との接合領域は、この実施形態では図８に示すような構造に形成したが、図９に示すように弾性フレーム材２に環状突起９を突設してレンズ５との水密性を向上させたり、図１０に示すようにレンズ５の外縁領域６３を弾性フレーム材２の切込み域６４で保護しつつ相互の正面側（レンズ５表面側）が面一となってデザイン的にすっきりして優れたものとすることができ、図１１に示すように更に前方側の弾性フレーム材２を剛性フレーム材１の端部にまで延在させてくることによりレンズ５との水密性を向上させることができる。
（実施形態３）
次に、実施形態３を上記実施形態との相違点を中心に説明する。
【００３１】
図１２に示すように、前記弾性フレーム材２により左右フレームを連結する鼻ベルト部４が一体的に成形されており、左右フレームを連結する鼻ベルト部４を含む弾性フレーム材２の成形性に優れるという利点がある。
【００３２】
【発明の効果】
この発明は上述のような構成であり、次の効果を有する。
【００３３】
弾性フレーム材と当接するレンズの外周領域は剛性フレーム材とも係合して固定されて流体密性を得ることができ且つレンズの外周領域を弾性フレーム材に当接させることによりパッキン等を介在させる必要がないので、ユーザーが従来よりも容易にレンズを交換することができる保護メガネを提供することができる。
【図面の簡単な説明】
【図１】この発明の保護メガネの実施形態１（水泳用ゴーグル）を説明する要部分解斜視図。
【図２】図１の保護メガネの側面図。
【図３】図１の保護メガネの断面構造を説明するために誇張して描いた要部断面図。
【図４】この発明の保護メガネの実施形態２（水泳用ゴーグル）を説明する全体斜視図。
【図５】図４の保護メガネの一部分解斜視図。
【図６】図４の保護メガネの断面図。
【図７】図４の保護メガネで交換レンズを係合させる状態の要部拡大断面図。
【図８】図６の保護メガネの要部拡大図。
【図９】図８の保護メガネの他の実施態様を示す要部拡大図。
【図１０】図８の保護メガネの他の実施態様を示す要部拡大図。
【図１１】図８の保護メガネの他の実施態様を示す要部拡大図。
【図１２】この発明の保護メガネの実施形態３（水泳用ゴーグル）を説明する断面図。
【図１３】従来の保護メガネを説明する要部拡大断面図。
【符号の説明】
１　剛性フレーム材
２　弾性フレーム材
３　顔当たりクッション部
４　鼻ベルト部
５　レンズ
６　フランジ部
８　ノブ部
６１　係止部
【図１】
2004105253.tif 000003
【図２】
2004105253.tif 000004
【図３】
2004105253.tif 000005
【図４】
2004105253.tif 000006
【図５】
2004105253.tif 000007
【図６】
2004105253.tif 000008
【図７】
2004105253.tif 000009
【図８】
2004105253.tif 000010
【図９】
2004105253.tif 000011
【図１０】
2004105253.tif 000012
【図１１】
2004105253.tif 000013
【図１２】
2004105253.tif 000014
【図１３】
2004105253.tif 000015